(57)【特許請求の範囲】
【請求項１】
ＪＰＥＧ符号化方法を用いて符号化した動画像に同期して音声情報を出力することが可能なＪＰＥＧ動画像記録装置において、
ＪＰＥＧシンタックスにおけるコメント・マーカに、動画像と同期させる音声データの格納アドレス情報を格納したことを特徴とするＪＰＥＧ動画像記録装置。
【発明の詳細な説明】
【０００１】
【発明の属する技術分野】
この発明は、ＪＰＥＧ符号化を用いた動画像の記録装置に関するものである。また、音声と同期した動画像の記録装置に関するものである。
【０００２】
【従来の技術】
ＪＰＥＧは、カラー静止画像符号化の国際標準であるが、現在では、動画像の圧縮にも適用されている。ＪＰＥＧはフレーム間予測が無いので、ＭＰＥＧ等に比べて動画像の圧縮率は低いが、処理が比較的簡単なこと、及び１フレームづつ符号化されるので、フレームの扱いが比較的容易である点が優れている。この点を利用してテレビなどの画像を符号化してメモリに蓄積し、復号化するビデオプレーバック装置などにＪＰＥＧ技術を利用することが出来る。
【０００３】
【発明が解決しようとする課題】
しかしながら、ＪＰＥＧのシンタックスでは、各フレーム間の順序や表示の時間などの情報は提供されていない。従って、動画像をＪＰＥＧ符号化し、それをビットストリームとして１つのビット列にしてメモリに保存し、直ちに再生するような動画像のプレーバックを行うアプリケーションの場合、所望のフレームを検索するために、ＳＯＩ（Ｓｔａｒｔ  ｏｆ  Ｉｍａｇｅ）、ＳＯＦ（Ｓｔａｒｔ  ｏｆ  Ｆｒａｍｅ）などのマーカーコードをビットストリームの中から探索する必要があるために、ランダムアクセスに時間がかかるという問題点があった。
【０００４】
この発明は、前記従来の問題点を解決し、高速なランダムアクセスの可能なＪＰＥＧ動画像記録装置を提供することを目的とする。
【０００５】
【課題を解決するための手段】
そのために、第１発明の発明のＪＰＥＧ動画像記録装置においては、ＪＰＥＧ符号化方法を用いて動画像を符号化し記録するＪＰＥＧ動画像記録装装置において、ＪＰＥＧマーカーとして定義されているＣＯＭ（コメント・マーカー）に動画像のランダムアクセス用のテーブル情報を組み込んだことを特徴とする。
【０００６】
また、第２発明のＪＰＥＧ動画像記録装置においては、ＪＰＥＧ符号化方法を用いて符号化した動画像に同期して音声情報を出力することが可能なＪＰＥＧ動画像記録装置において、ＪＰＥＧシンタックスにおけるＣＯＭに、動画像と同期させる音声データの格納アドレス情報を格納したことを特徴とする。
【０００７】
【発明の実施の形態】
以下、本発明の実施の形態（実施形態）について、図面を参照しながら詳細に説明する。
＜第１の実施形態＞
図１は本発明によるＪＰＥＧ動画像記録装置の第１の実施形態の構成を示すブロック図であり、この実施形態の装置は、ＪＰＥＧ符号化器１０，Ｃｏｍ挿入部１１，ビットカウンタ１２，メモリ１３，ＪＰＥＧ復号化器１４，Ｃｏｍ抽出部１５，リードアドレス発生器１６、テーブル情報作成部１７から構成される。
【０００８】
ビデオ信号等の入力画像はＪＰＥＧ符号化器１０で符号化され、符号化された信号（ビットストリーム）Ｓ１０は、ビットカウンタ１２に供給される。ビットカウンタ１２では処理されたビット数を計数する。一方、ＪＰＥＧ符号化器１０はＳ１０の出力としてＳＯＩやＳＯＦを出力し、それと同じタイミングでパルス信号Ｓ１８を発生しテーブル情報作成部１７に入力する。
【０００９】
テーブル情報作成部１７では、ビットカウンタ１２が出力したカウント値Ｓ１２を前述のパルス信号Ｓ１８に同期して取り込む。この結果、テーブル情報作成部１７からは、Ｓ１０上にＳＯＩが発生したときのビットカウンタ１２のカウント値やＳＯＦが発生したときのカウント値がテーブル値として出力される（Ｓ１７）。このテーブル値としては、ストリームの先頭からのビット距離やＳＯＩ、ＳＯＦの格納アドレスなどがある。ＣＯＭ挿入部１１では、この信号Ｓ１７をＪＰＥＧ符号化器１０からの出力Ｓ１０のＣＯＭ（コメントマーカ）に挿入する。ＣＯＭ挿入部１１では、ＣＯＭ情報を挿入された符号化データＳ１１をメモリ１３に格納する。
【００１０】
復号時には、メモリ１３に格納されているビットストリームの先頭から、ＪＰＥＧ復号化器１４に入力される。ＪＰＥＧ復号化器１４が一つのＣＯＭを読み込むと、ＣＯＭ抽出部１５が上述のテーブルを抽出する。このテーブル内の情報はリードアドレス発生器１６によりメモリの読み出しアドレスＳ１６に変換される。
【００１１】
例えば、このテーブルに、１フレーム前のＳＯＦアドレスが記述されていれば、この情報を用いることにより巻き戻し再生を行うことができる。また、１フレーム以上前のＳＯＦアドレスが記述されていれば、この情報を利用して早送り巻き戻し再生を行うことができるし、１フレーム以上後のＳＯＦアドレスが記述されていれば、フレームの飛び越しによる早送り再生に利用することができる。
【００１２】
以上説明したように、この実施形態に依れば、ＪＰＥＧ復号化器１４は、ＣＯＭを解読することにより、任意のイメージ、ピクチャの格納アドレスを知ることができるために、ランダムアクセスを極めて高速に行うことが出来る。また、検索のための情報がＣＯＭに書き込まれているので、ＪＰＥＧのシンタックスに違反しておらず、テーブル情報を利用できない複合器でもこのストリームを処理することが出来る。
【００１３】
第１の実施形態においては、ＪＰＥＧのシンタックスに準拠しつつ、ランダムアクセス可能な仕組みを提供することが出来たが、この場合、ビットストリームにおいて最初にＣＯＭの位置をみつける為のスキャンが必要である。そこで第１の実施形態の変形として、ＪＰＥＧ符号化器１０が画像の符号化を全て終了した時点で、図２に示すように、最初のＣＯＭテーブル情報をストリームの最後に追加することが考えられる。このような構成とすることにより、ＪＰＥＧ復号化器１４は、その情報をＪＰＥＧシンタックスとは別途解釈することで、より高速なランダムアクセスが可能となる。但し、ここで追加する情報はビットストリームの最後に限る必要はなく、例えば、メモリのテーブル情報領域に格納してもよい。
【００１４】
＜第２の実施形態＞
図３は、本発明によるＪＰＥＧ動画像記録装置の第２の実施形態の構成を示す図である。この実施形態は、動画像データと音声データとを同期化して再生する実施形態を示したものであり、第一音声処理部２０、第二音声処理部２１，音声メモリ２２，音声情報カウンタ２３、ＪＰＥＧ符号化器２４、ビットカウンタ２５，Ｃｏｍ挿入部２６、メモリ２７，ＪＰＥＧ復号化器２８，Ｃｏｍ抽出部２９，リードアドレス発生器３０、テーブル情報作成部３１、音声リードアドレス発生器３２から構成される。このうち、ＪＰＥＧ符号化器２４、ビットカウンタ２５，Ｃｏｍ挿入部２６、メモリ２７，ＪＰＥＧ復号化器２８，Ｃｏｍ抽出部２９，リードアドレス発生器３０、テーブル情報作成部３１、は、それぞれ、第１の実施形態におけるＪＰＥＧ符号化器１０、ビットカウンタ１２，Ｃｏｍ挿入部１１、メモリ１３，ＪＰＥＧ復号化器１４，Ｃｏｍ抽出部１５，リードアドレス発生器１６、テーブル情報作成部１７と同様の動作を行う構成要素である。
【００１５】
入力音声は、第一音声処理部２０に入力されて音声メモリに蓄積される形式に変換される。この形式としては、ＭＰ３やＰＣＭ等がある。この入力音声情報は、音声メモリ２２に蓄積され、このとき、音声情報カウンタ２３は、入力画像と同時刻の音声が音声メモリのどのアドレスに蓄えられたかというアドレス情報をカウンタ値として計数する。
【００１６】
一方、入力画像のＪＰＥＧ符号化については、実施形態１と同様に行われ、ＣＯＭに画像のテーブル情報が蓄積される時に、上述の音声アドレス情報もＣＯＭに埋め込まれる。
【００１７】
再生時には、ＪＰＥＧ復号化器２８、ＣＯＭ抽出部２９で取り出されたテーブル情報が、音声リードアドレス発生器３２により参照され画像と同期した音声データの音声メモリ２２上のアドレスに変換される。このアドレスの音声情報が読み出され、第二の音声処理部２１を介して出力画像と同期した出力音声が生成される。
【００１８】
以上説明したように、第２の実施形態においては、従来ＪＰＥＧのシンタックスでは全く考慮されていなかった音声信号との同期処理を行い、画像信号に同期させる音声データが保存されているメモリのアドレス情報をＣＯＭに埋め込むようにしている。これにより、復号時には画像のランダムアクセス性を保ちつつ、音声と同期した形で動画像を再生することが出来る。
【００１９】
以上述べた実施形態においては、ＪＰＥＧのＣＯＭに各種情報を格納することにより、ＪＰＥＧシンタックスに準拠した方法を提供したが、ＣＯＭの代わりに、同様にＪＰＥＧのマーカー情報であるＡＰＰを用いても同様の効果が得られる。
【００２０】
【発明の効果】
以上、詳細に説明したように、第１の発明によれば、ＪＰＥＧ符号化方法を用いて動画像を符号化し記録するＪＰＥＧ動画像記録装装置において、ＪＰＥＧマーカーとして定義されているＣＯＭに動画像のランダムアクセス用のテーブル情報を組み込んだ構成としたので、ＣＯＭを解読することにより、任意のイメージ、ピクチャの格納アドレスを知ることができるために、ランダムアクセスを極めて高速に行うことが出来る。
【００２１】
また、第２の発明によれば、ＪＰＥＧ符号化方法を用いて符号化した動画像に同期して音声情報を出力することが可能なＪＰＥＧ動画像記録装置において、ＪＰＥＧシンタックスにおけるＣＯＭに、動画像と同期させる音声データの格納アドレス情報を格納した構成としたので、復号時には画像のランダムアクセス性を保ちつつ、音声と同期した形で動画像を高速に再生することが出来る。
【図面の簡単な説明】
【図１】ＪＰＥＧ動画像記録装置の第１の実施形態を示すブロック図である。
【図２】最初のＣＯＭテーブル情報をビットストリームの最後に追加した場合のビットストリームデータの一例を示す図である。
【図３】ＪＰＥＧ動画像記録装置の第２の実施形態を示すブロック図である。
【符号の説明】
１０，２４    ＪＰＥＧ符号化器
１１，２６    ＣＯＭ挿入部
１２，２５    ビットカウンタ
１３，２７    メモリ
１４，２８    ＪＰＥＧ復号化器
１５，２９    ＣＯＭ抽出部
１６，３０    リードアドレス発生器
２０          第１音声処理部
２１          第２音声処理部
２２          音声メモリ
２３          音声情報カウンタ
３２          音声リードアドレス発生器
【図１】
0003539915.tif 000002
【図２】
0003539915.tif 000003
【図３】
0003539915.tif 000004